(57)【特許請求の範囲】
【請求項１】
プラグイン車両に搭載されたバッテリに対して太陽光発電を含む複数の電力源による充電を制御するプラグイン車両のバッテリ充電制御装置であって、
使用者が入力した情報に基づいて次の走行経路を予測する走行経路予測手段と、
前記走行経路予測手段が決定した走行経路を走行するのに必要となる予想消費電力量を求める予想消費電力量演算手段と、
次の走行までの天気情報を取得する天気情報取得手段と、
次の走行までの日照情報を取得する日照情報取得手段と、
前記天気情報取得手段が取得した天気情報及び前記日照情報取得手段が取得した日照情報に基づいて次の出発予定時間までの太陽光発電電力量を演算する太陽光発電量演算手段と、
前記太陽光発電量演算手段が求めた次の出発予定時間までの太陽光発電電力量が、前記予想消費電力量演算手段が求めた予想消費電力量よりも少ない場合は、不足電力量を演算する不足電力量演算手段と、
前記バッテリに対して前記不測電力量演算手段が求めた不足電力量を他の電力源により充電する時間、及び太陽光発電により充電する時間を示す充電スケジュールを作成する充電スケジュール作成手段と、
前記充電スケジュール作成手段が作成した充電スケジュールに従って前記バッテリに対する充電を制御する充電制御手段と、
使用者が入力したスケジュール情報を管理するスケジュール管理手段と、
前記スケジュール管理手段からスケジュール情報を取得するスケジュール取得手段と、
前記スケジュール情報取得手段が取得したスケジュール情報が正か否かを選択する正否選択手段と、を備え、
前記充電スケジュール作成手段は、前記正否選択手段により正が選択されたことを条件として前記スケジュール取得手段が取得したスケジュール情報に基づいて次の前記充電スケジュールを作成することを特徴とするプラグイン車両の充電制御装置。
【請求項２】
他の電力源として商用電力源が設定され、
前記充電スケジュール作成手段は、商用電力源による充電を実行する時間として電力単価が他の時間帯よりも安い時間帯を最大限含むように設定することを特徴とする請求項１記載のプラグイン車両の充電制御装置。
【請求項３】
次の走行が通勤であることを指示するための通勤指示手段と、
過去の消費電力量を記憶した記憶手段と、を備え、
前記走行電力演算手段は、前記通勤指示手段により次の走行が通勤であることが指示された場合は、前記記憶手段が記憶している過去の消費電力量に基づいて必要な走行電力量を求めることを特徴とする請求項１または２記載のプラグイン車両の充電制御装置。
【請求項４】
前記充電制御手段は、太陽光発電による充電中に充電電力量が不足していると判断したときは、他の電力源に切り替えることを特徴とする請求項１ないし３のいずれかに記載のプラグイン車両の充電制御装置。
【請求項５】
前記正否選択手段により否が選択された場合は、前記スケジュール情報を使用者の操作により修正する修正手段を備えたことを特徴とする請求項１から４のいずれかに記載のプラグイン車両の充電制御装置。
【請求項６】
前記スケジュール管理手段は、近距離通信機能を備えた携帯通信端末であり、
前記取得手段は、前記携帯通信端末に近距離通信によりアクセスすることを特徴とする請求項１ないし５のいずれかに記載のプラグイン車両の充電制御装置。
【請求項７】
前記スケジュール管理手段は、クラウドネットワーク上のサーバであり、
前記スケジュール取得手段は、前記サーバに広域通信網によりアクセスすることを特徴とする請求項１ないし６のいずれかに記載のプラグイン車両の充電制御装置。
【請求項８】
請求項１ないし７のいずれかに記載されているプラグイン車両の充電制御装置を備えたことを特徴とする車両用ナビゲーション装置。
【発明の詳細な説明】
【技術分野】
【０００１】
本発明は、太陽光発電による電力源と他の電力源からの充電が可能なプラグイン車両の充電制御装置及び車両用ナビゲーション装置に関する。
【背景技術】
【０００２】
特許文献１には、プラグイン車両に搭載されているバッテリへの充電を、複数種類の電力源のうち電力単価の安い順に最大限利用して充電すると共に電力単価が最も安い太陽光発電による充電時間を天気予報に基づいて調整することが開示されている。
【先行技術文献】
【特許文献】
【０００３】
【特許文献１】特開２００９−１４８１２１号公報
【発明の概要】
【発明が解決しようとする課題】
【０００４】
このような特許文献１のものによれば、電力単価が最も安い太陽光発電を最大限利用してバッテリに充電することができるので、充電コストの低減を図ることができる。
しかしながら、特許文献１のものは、次の出発予定時刻まで太陽光発電と天気予報とから最適な充電計画を実現することができるものの、次の走行に必要な充電量が少ない場合であっても、太陽光発電による充電時間以外の時間帯は商用電力源による充電が実施されてしまって安価な充電を実現できないという問題がある。
本発明は上記事情に鑑みてなされたもので、その目的は、電力単価が最も安い太陽光発電を最大限利用してバッテリを充電しながら、無駄な充電を実行してしまうことがないプラグイン車両の充電制御装置及び車両用ナビゲーション装置を提供することにある。
【課題を解決するための手段】
【０００５】
請求項１の発明によれば、次の出発予定時刻まで太陽光発電によりバッテリを最大限充電することができるので、充電コストの低減を図ることができる。この場合、天気が悪い場合であっても、天気予報に基づいて充電スケジュールを作成するので、太陽光発電による充電電力量が次の走行に必要となる予想消費電力量よりも少ない場合であっても、他の電力源から充電することにより次の走行時に充電電力量の不足を生じることを回避できる。
また、使用者がスケジュール管理手段に入力したスケジュール情報を取得して充電スケジュールを作成することができるので、スケジュール情報を再度入力する手間を削減することができ、さらにスケジュール情報の精度を高めることができる。
請求項２の発明によれば、太陽光発電による充電電力量が不足した場合は、商用電力源によりバッテリを確実に充電することができる。この場合、電力単価が他の時間帯よりも安い時間帯である例えば深夜電力時間帯による商用電力源を最大限利用して充電することができるので、商用電力源による充電コストの低減を図ることができる。
【０００６】
請求項３の発明によれば、通勤で走行する経路は一定であることから、過去の消費電力量に基づいて次の通勤時に必要となる予想消費電力量を精度よく求めることができる。
請求項４の発明によれば、太陽光発電の充電中に天気が悪くなって充電不足を生じるような場合であっても適切に対処して充電不足を未然に防止することができる。
請求項５の発明によれば、スケジュール情報を容易に修正することができる。
請求項８の発明によれば、天気情報、或いは現在位置情報等を取得する機能を備えたカーナビゲーション装置を利用して実施することができるので、容易に実施することができる。
【図面の簡単な説明】
【０００７】
【図１】本発明の参考形態の全体構成を概略的に示す機能ブロック図
【図２】カーナビゲーション装置による充電手順を示すフローチャート
【図３】カーナビゲーション装置による翌日の必要電力量の算出を示すフローチャート
【図４】カーナビゲーション装置による充電スケジュールの作成を示すフローチャート
【図５】充電スケジュールの一例を示す図
【図６】本発明の一実施形態におけるスケジューラのデータ構成を示す図
【図７】ディスプレイの表示を示す図
【発明を実施するための形態】
【０００８】
（参考形態）
以下、本発明の参考形態について図１ないし図５を参照して説明する。
図１は、充電制御装置の構成を概略的に示している。プラグイン車両１には充電制御装置２が搭載されている。充電制御装置２（予想消費電力量演算手段、太陽光発電量演算手段、不足電力量演算手段、充電スケジュール作成手段、充電制御手段、通勤指示手段、記憶手段に相当）は、プラグイン車両１に搭載された電力源セレクタ３、この電力源セレクタ３により充電されるバッテリ４（鉛蓄電池、ニッケル水素電池、リチウム電池等）、電力源セレクタ３を制御するカーナビゲーション装置（以下「カーナビ」という）５から構成されている。プラグイン車両とは、車両外部から供給される電力によってバッテリ４の充電が可能な車両のことで、駆動力源としてモータのみを用いるプラグイン電気自動車と、駆動力源としてエンジンとモータとを用いるプラグインハイブリッド車があり、本参考形態ではプラグインハイブリッド車を想定する。尚、図１では、カーナビ５の基本構成は省略し、本発明に関連した構成のみを機能ブロック図で示している。このカーナビ５は、図示しない基本構成に加えて、充電制御装置２、経路計算・予測機能６（走行経路予測手段に相当）、天気予報提供機能７（天気情報取得手段に相当）、日出・日没時間データ８（日照情報取得手段に相当）を備えている。
【０００９】
電力源セレクタ３には複数の充電用端子９が接続されており、それらの各充電用端子９に対応する電力源Ａ〜Ｃからの電力ラインが接続可能となっている。この場合、充電用端子９に対応して接続可能な電力ラインの端子が択一的となるように構成されており、対応する電力ライン以外の他の電力ラインが接続不能となっている。電力源Ａ〜Ｃとしては、電力会社から供給される商用電力源、太陽光発電によって供給される電力源、風力発電によって供給される電力源、ガスや燃料電池を用いた自家発電装置によって供給される電力源等が想定されるが、本参考形態では、商用電力源と太陽光発電による電力源の２電力源を用いた場合を説明する。太陽光発電としては、一般に住宅の屋根、或いはガレージの屋根に設置され、発電中は住宅の電力源として給電するものであるが、太陽光発電による電力源が充電用端子９に接続された状態では、車両への充電を優先し、車両への充電が終了した時点で住宅への給電に切り替えるものとする。
【００１０】
電力源セレクタ３には変圧器を主体とする電力変換器が備えられており、選択された充電用端子９から供給される電力をバッテリ４に充電可能な電力に変換する。また、電力源セレクタ３には電力変換器からバッテリ４への出力端子までの通電路の電圧と検出する電圧センサ及び電流を検出する電流センサが設けられており、充電制御装置２は、電圧センサ及び電流センサによる検出値に基づいてバッテリ４に充電される電力量及び放電（図示しない駆動用モータへの給電）される電力量を演算することにより現在の充電電力量を演算可能となっている。この場合、バッテリ４への充電電力量はプラグインハイブリッド車が充電後の最初の走行時にバッテリ４のみで走行した場合に消費される電力量である。
【００１１】
さて、カーナビ５に充電制御装置２を設けた理由は、バッテリ４への充電制御を実行するための充電スケジュールを作成するための情報をカーナビ５が有する機能から取得可能なことによるもので、本参考形態では、充電制御装置２の機能をカーナビ５内の図示しないプロセッサにより実現しており、次の各機能はカーナビ５が有する機能を利用している。
経路計算・予測機能６は、目的地が設定された場合は、現在位置から目的地までのルートを設定すると共に、目的地まで往復して走行するのに要するバッテリ４の消費電力量を後述するように算出する。
【００１２】
天気予報提供機能７は、外部の情報センタが広域放送（ラジオ放送或いはデジタルラジオでのデータサービス）する天気予報を取得するもので、翌日（次回の走行予定日）までの天気を判定する。
日出・日没時間データ８は、緯度及び経度に対応した日出・日没時間を記憶しており、カーナビ５が取得したＧＰＳデータが示す緯度及び経度に対応する日出・日没時間を提供する。尚、日出・日没データは、緯度及び経度に対応した標準的なデータであることから、カーナビ５が現在地の日出方向及び日没方向に位置する障害物、特に山間部にあっては周囲に位置する山の影響、都心部にあっては周囲に位置する高層ビルによる太陽光の遮光時間帯を考慮するのが望ましい。また、同一地域であっても太陽電池の設置場所によって太陽光の照射時間帯が変わるので、その照射時間帯をユーザが入力するようにしてもよい。
【００１３】
さて、ユーザが次の走行のためにバッテリ４に充電する場合は、プラグイン車両１の充電用端子９に太陽光発電及び商用電力源からの電力ラインを接続した状態でカーナビ５に対して次の走行に関する情報を入力する。カーナビ５は、入力された出発時刻及び目的地に基づいて後述するように充電スケジュールを作成してバッテリ４に充電する。
図２は、カーナビ５による充電手順を示すフローチャートである。カーナビ５は、まず、充電制御装置２によりバッテリ残量をチェックする（Ａ１）。
次に翌日（次回）の走行時の必要電力量を算出する（Ａ２）。
【００１４】
図３は、カーナビ５による翌日の必要電力量の算出を示すフローチャートである。ユーザが翌日（次回）の走行時の目的地及び到着予定時間をカーナビ５にセットすると（Ｂ１：ＹＥＳ）、カーナビ５は、目的地までのルートを計算し、距離と過去の燃費（電力消費）データから目的地までの往復の走行に必要な電力量（Ｙ）を計算する。この場合、ルート通りに走行した場合の予想消費電力量としては、過去に走行したことのあるルートの場合は、その時の消費電力量に安全係数を掛けて求める。ルートが過去に走行したことがある場合は過去のデータを利用することができるものの、一部区間のみを走行したことがある場合、或いはルートが過去に走行していない場合は、走行したことのある一部区間に関してはその時のデータを使用し、走行したことのない区間、或いは走行したことのないルートに関しては、地図データから道路の傾斜（上り、下りの斜度）、信号の有無を取得して計算する（Ｂ２）。つまり、ルート中に上りが存在する場合は、その斜度及び距離に応じて平坦地を走行する際の消費電力量よりも斜度及び距離に応じて予想消費電力量を増加し、下りが存在する場合は回生電力分だけ予想消費電力量を減少する。また、ルート中に信号が多く存在する場合は、それだけ停止回数の増加により消費電力量が増大することから、信号数に応じて予想消費電力量を増大する。また、ルート中の速度制限、車線数、直線距離、或いは走行予定日の渋滞予想が得られる場合は渋滞距離等を勘案して予想消費電力量を演算する。さらに、ルート中にトンネルがある場合、或いは走行が日没後となる場合は、ライトを点灯する必要があることから、それだけ予想消費電力量を増大する。
【００１５】
そして、到着予定時刻と、ルート計算の結果から必要走行時間を算出し、出発時間を逆算により決定する。例えば、到着予定時刻が午前９時、必要走行時間が１時間、目的地までの往復に必要な電力量を５０Ｋｗとする。尚、目的地で充電可能な場合はカーナビ５に対して往路のみを設定するもので、そのときの必要充電量は半分となる。
【００１６】
また、プラグイン車両１を通勤に使用するユーザの場合は、目的地が同一、つまりルートが同一であり、必要な予想消費電力量を推測することが可能である。このようにユーザに簡単に通勤用に必要十分な充電を予約させるため、図示しない「通勤充電」ボタンをカーナビ５の画面上に設置し、翌日の用途が通勤であることをワンタッチで設定できるようにした。従って、カーナビ５は、「通勤充電」ボタンがオンされた場合は（Ｂ３：ＹＥＳ）、曜日及び予測天気と過去の電力消費統計データから必要な電力量を算出する（Ｂ４）。この場合、通勤距離が短く必要な充電電力量が太陽光発電のみで十分であると判断した場合は、日出から出勤時刻までの太陽光発電のみで充電するように制御することも可能であり、このような場合がコスト的に最も安価となる。この点は、上述したように目的地が入力され、目的地が近距離、或いは出発時刻が遅く太陽光発電による充電として十分な時間を得られる場合も同様である。このように太陽光発電のみによる充電で走行に必要な電力量が得られる場合であっても、日照時間中は太陽光発電による充電を最大限実行するのが望ましい。
ユーザがルートを設定せず（Ｂ１：ＮＯ）、さらに「通勤充電」ボタンをオンしない場合は（Ｂ３：ＮＯ）、カレンダーから通勤で使用されるかを予測し、平日なら通勤とみなし、休日ならば通勤ではないためｆｕｌｌ充電とする（Ｂ５）制御も可能である。
【００１７】
次にカーナビ５は、充電スケジュールを作成する（Ａ３）。
図４は、カーナビ５による充電スケジュールの作成を示すフローチャートである。カーナビ５は、ユーザが出発時間を設定した場合は（Ｃ１）、翌朝の天気情報を情報センタから取得して天気予報は晴れかを判定する（Ｃ６）。天気予報が晴れの場合は（Ｃ６：ＹＥＳ）、内部に持つテーブルデータから晴れの場合は太陽光発電では１０Ｋｗ／ｈ（本参考形態での平均値）の発電が可能であるとする。この発電量は、晴れであっても月日及び時間帯（日出及び日没に近い時間帯は小さく、昼に最大となる）によっても異なることから、テーブルデータとしては月日及び時間帯に対応した電力量が細かく設定されている。
【００１８】
カレンダー機能から翌日の日付を取得し、内部の日出、日没テーブルデータから、翌朝の日出時間を取得する。この日出、日没テーブルデータは、日本における位置（緯度、経度）と月毎の日出、日没時間との対応を記憶したものである。例えば日出時間が６時とすると、出発前に太陽光発電装置で発電されるのは、日出の６時から出発の８時までの２時間であることから、その間に充電できるのは、１０ｋｗ／ｈ×２ｈ＝２０ｋｗとなる。このため、日出前（夜間）において５０ｋｗ−２０ｋｗ＝３０ｋｗの充電が必要となる。
【００１９】
商用電力源からの充電能力を２０ｋｗとすると、日出前に３０ｋｗ／２０ｋｗ＝１．５ｈの商用電力源による充電が必要となる。この場合、電力単価が他の時間帯よりも安い時間帯である深夜電力時間帯における商用電力源での充電コストが安いことから、カーナビ５は、深夜電力時間帯が１．５ｈ以上かを判定し、以上の場合は、深夜電力で充電するようにスケジュールを作成する（Ｃ７）。尚、商用電力源での充電時間が深夜電力時間帯を上回る場合は、上回った時間帯に関しては通常の商用電力源での充電時間とする。
【００２０】
これに対して、天気予報が晴れ以外の場合は（Ｃ６：ＮＯ）、太陽光発電による充電が見込めないので、商用電力の深夜電力を使用して充電するスケジュールを作成する（Ｃ８）。この場合も、商用電力源での充電時間が深夜電力時間帯を上回る場合は、上回った時間帯に関しては通常の商用電力源での充電時間とする。
【００２１】
一方、「通勤充電」ボタンがオンしたとき、或いは翌日が平日の場合は（Ｃ４：ＹＥＳ）、毎日の出勤時間を算出し（Ｃ３）、翌日の天気予報に基づいて充電スケジュールを作成する（Ｃ６）。また、翌日が休日の場合は（Ｃ４：ＮＯ）、休日の運転履歴から運転開始時間を推測し（Ｃ５）、翌日の天気予報に基づいて充電スケジュールを作成する（Ｃ６）。
【００２２】
尚、翌日の天気予報が曇或いは雨の場合は、太陽光発電でよる充電は期待できないことから、このような場合は、太陽光発電による充電は零であると見なし、深夜電力時間帯による充電を最大限含むように充電スケジュールを作成する。また、雨天によりワイパを動作させたり、ライトの点灯が予測される場合、或いはエアコンの駆動が予測される場合は、その分だけ予想消費電力量を増大させて充電スケジュールを作成する必要がある。
以上のようにして、充電スケジュールに基づいて太陽光発電に充電を最も使用し、不足電力量を深夜電力により充電し、さらに不足電力量を通常の商用電力により充電することができる。
【００２３】
図５は、以上のようにして作成した充電スケジュールの一例を示している。
１：００から２：３０までは商用電力源の深夜電力で充電し、６：００〜８：００までは太陽光発電で供給される電力で充電し、８：００〜９：００に往路を走行することを示している。
そして、カーナビ５は、以上のようにして作成した充電スケジュールに基づいて電力源セレクタ３を切り替えることによりバッテリ４に対する電力源を商用電力源から太陽光発電へと切り替えて充電する。
【００２４】
尚、充電スケジュール上では太陽光発電しているはずの時間帯に充電電力量が極端に少ない場合は、自動的に商用電力源に切り替える。これにより、天気予報が外れた場合であっても、充電量が不足して走行に支障をきたすことを防止することができる。
また、次の走行予定日が例えば翌々日の場合は、翌日に太陽光発電のみで充電し、日没後、現在の充電電力量に基づいて翌日の充電スケジュールを作成するようにしても良い。
【００２５】
このような参考形態によれば、次の効果を奏することができる。
カーナビ１は、使用者が入力した翌日（次回）の走行時の到着予定時間及び目的地に基づいて次の走行時に必要となる予想消費電力量を求め、翌日の天気情報及び日出・日没時間に基づいて翌日の出発予定時間まで太陽光発電でもって最大限充電する充電スケジュールを作成し、当該充電スケジュールに従ってバッテリ４に対する充電を制御するので、充電コストの低減を図ることができる。また、太陽光発電による充電電力量が翌日の走行に必要となる予想消費電力量よりも少ない場合は商用電力源から充電するので、翌日の走行時に電力不足を生じることを回避できる。
【００２６】
商用電力源で充電する場合は、深夜電力により充電するようにしたので、商用電力源により充電した場合であっても、充電コストの低減を図ることができる。
現在位置に応じた日出・日没時間を考慮した充電スケジュールを作成するようにしたので、緯度、軽度に関わらず太陽光発電による充電を最大限利用することができる。
天気情報、或いは現在位置情報を取得する機能を備えたカーナビ５により実施するようにしたので、容易に実施することができる。
【００２７】
（一実施形態）
次に本発明の一実施形態について図６及び図７を参照して説明する。参考形態では、次回の目的地を使用者が入力する必要がある。一方、近年、ブルートゥース機能を備えた携帯用パーソナルコンピュータ（ＰＣ）や携帯情報端末（ＰＤＡ）、或いはスケジュール機能を備えた携帯電話機（スマートフォン）等（以下「携帯通信端末」という）に予めスケジュール情報を入力して外出の日時及び場所を管理するのが一般に行われており、このように携帯通信端末に入力したスケジュール情報をカーナビ５にも再度入力することは極めて面倒であると共に入力ミスを生じる虞がある。
【００２８】
そこで、本実施形態では、カーナビ５（スケジュール取得手段に相当）は、使用者によりブルートゥース機能を備えた携帯通信端末（スケジュール管理手段に相当）が車室内に持込まれた際に、これらに予め入力されたスケジュール情報をブルートゥースにより受信（取得）し、使用者が車両を使用することを示すスケジュール情報が存在する場合は、当該スケジュール情報が示す外出先を目的地として設定する。この場合、車両を使用するスケジュール情報が複数日に設定されている場合は、直近のスケジュール情報が示す外出先を目的地として設定する。また、同一日に外出先が複数設定されている場合は、それらの外出先を近い順、或いは使用者の設定した順番で設定する。このように使用者が車両を使用する外出先を登録してあるか否かを判定する手段としてスケジューラのデータ構成を工夫した。
【００２９】
図６は、携帯通信端末が有する機能であるスケジューラのデータ構成を示している。スケジューラのデータ構成は、「件名」、「日にち」、「開始時刻」、「終了時刻」、「場所」、「本文」から構成されているが、本実施形態では、「車による移動  Ｙｅａ／Ｎｏ」というフラグが追加した。つまり、車による移動フラグが１（「Ｙｅｓ」が選択）の場合は、使用者は車を使用して登録されている場所（目的地）に移動することを示している。
【００３０】
さて、上述したようにしてスケジューラによりスケジュール情報が登録された携帯通信端末を携帯した使用者が車両に乗車すると、カーナビ５は、ブルートゥースにより携帯通信端末に登録されているスケジュール情報を取得する。この場合、カーナビ５は、車による移動フラグが１となっているスケジュール情報が存在する場合は自己のスケジュールの同期を図る。このようにスケジュールの同期をブルートゥースにより図る場合は、ブルートゥースのプロファイル規格であるＳＹＮＣ（シンクロナイゼーションプロファイル）を用いる。これにより、カーナビ５は、次以降の出発日の場所（目的地）と開始時刻（到着時刻）を登録することができる。
【００３１】
カーナビ５は、以上のように登録された目的地及び到着時刻から出発時刻を求め、参考形態と同様に充電スケジュールを作成する。この場合、開始時刻は目的地での用件の開始時刻であることから、目的地への到着時刻から用件の開始時刻までの所定時間（例えば３０分）を見込んで出発時刻を設定するのが望ましい。
【００３２】
カーナビ５は、以上のようにして携帯通信端末からスケジュール情報を受信して登録した状態で車両が目的地から家に到着してエンジンが停止した場合は、本日の行程の全てが終了したと判断し、図７（ｂ）に示すように携帯通信端末から受信したスケジュール情報に基づいて作成した次回の運転スケジュールをディスプレイ１１に表示する。図７（ｂ）に示す例では、ディスプレイ１１に次に車両を使用する運転スケジュールが示す日時、スケジュール内容を表示すると共に、表示しているスケジュールで充電スケジュールを作成してもよいかの可否を示す「ＯＫ」ボタン１２と「スケジュールを変更する」ボタン１３を表示する。これらのボタン１２，１３が正否選択手段に相当する。「ＯＫ」ボタン１２がタッチ操作された場合は、表示されているスケジュールに基づいて充電スケジュールを作成する。次の目的地が不明であったり、表示内容が間違っていたりすることにより使用者が「スケジュールを変更する」ボタン１３をタッチ操作した場合は、「スケジュールを変更する」ボタン１３に代えて「スケジュールを入力して下さい」というメッセージ１４を表示する。これにより、表示情報のうち変更したい表示をタッチ操作により選択した状態で図示しないキー（修正手段に相当）により変更する。この場合、カーナビ５で変更したスケジュールを携帯通信端末のスケジュール情報に同期させるようにしてもよいし、カーナビ５に対する操作によりスケジュール情報を直接変更するのに代えて、携帯通信端末のスケジュール情報を変更した後、カーナビ５でスケジュール情報の同期を図ることにより次のスケジュール情報を変更するようにしてもよい。
【００３３】
このような実施形態によれば、カーナビ５は、車室内に持込まれた携帯通信端末に登録されたスケジュール情報との同期を図ることで次の充電スケジュールを作成するので、使用者は、携帯通信端末に登録したスケジュール情報をカーナビ５に再度登録する必要がなくなり、使用者の負担を軽減できると共に入力ミスを防止することができる。
しかも、携帯通信端末から受信した次のスケジュール情報の正否を使用者に確認した上で次の充電スケジュールを作成するので、充電スケジュールの精度を高めることができる。
また、次のスケジュール情報が間違っていた場合は、そのスケジュール情報を修正可能としたので、スケジュール情報を正しく修正することができる。
【００３４】
尚、次のスケジュール情報の正否を携帯通信端末からスケジュール情報を受信した際に確認するようにしてもよい。
また、カーナビ５が広域通信網と通じてクラウドネットワーク上のサーバ（スケジュール管理手段に相当）にアクセス可能な場合は、自宅のＰＣからサーバにアクセスしてスケジュールを登録し、カーナビ５は、電源がオンした動作状態で定期的にサーバからスケジュールを取得することによりスケジュールの同期を図るようにしてもよい。
【００３５】
（他の実施形態）
本発明は、上記実施形態及び参考形態に限定されることなく、次のように変形または拡張できる。
上記実施形態及び参考形態ではプラグイン車両としてプラグインハイブリッド車を想定したが、プラグイン電気自動車に適用するようにしても良い。この場合、バッテリが完全に放電したときは、車両を走行させることができなくなることから、充電時の安全係数を大きく設定する必要がある。
【００３６】
カーナビの充電制御装置に代えて、充電用ＥＴＣとして車両に搭載し、カーナビから必要な情報を取得するように構成しても良い。
カーナビにより天気情報を監視し、天気情報が変更となった場合は、充電スケジュールを見直すようにしても良いし、ユーザが充電スケジュールを手動で変更可能としても良い。また、渋滞情報を取得した場合は、出発予定時間を早くなるように変更し、それに合わせて充電スケジュールを変更するようにしても良い。
商用電力として１００Ｖライン、２００Ｖラインを切り替えるようにしても良い。
【符号の説明】
【００３７】
図面中、１はプラグイン車両、２は充電制御装置（予想消費電力量演算手段、太陽光発電量演算手段、不足電力量演算手段、充電スケジュール作成手段、充電制御手段、通勤指示手段、記憶手段）、３は電力源セレクタ、４はバッテリ、５はカーナビゲーション装置、６は経路計算・予測機能（走行経路予測手段）、７は天気予報提供機能（天気情報取得手段）、８は日出・日没時間データ（日照情報取得手段）である。
【図１】
0005471940.tif 000002
【図２】
0005471940.tif 000003
【図３】
0005471940.tif 000004
【図４】
0005471940.tif 000005
【図５】
0005471940.tif 000006
【図６】
0005471940.tif 000007
【図７】
0005471940.tif 000008